(57)【要約】【課題】打球や送球された球が跳ね返ることを少なくしつつ、収納時には折り畳むことでコンパクトにできる防球ネットフレーム、防球ネットを提供し、さらに防球ネットフレームを組み合わせたケージフレーム及びケージを提供する。【解決手段】防球ネットフレーム１は、連結部３を介して鉛直方向に沿って回転することで折り畳まれる。防球ネットフレーム１は折り畳まれる前に比べて約半分の面積となり、移動や収納がしやすい。また、防球ネットフレーム１は連結部３において鉛直方向に離間して形成されるので、打球や送球がフレームに直接当たる可能性が低くなり、球が跳ね返ることが少なくなる。なお、防球ネットフレーム１に網体８が取り付けられた防球ネット６０の状態であっても同様に折り畳むことができるので、防球ネット６０を収納する際に網体８を取り外す必要は無い。【選択図】図１
2018198647.tif 000002
【特許請求の範囲】
【請求項１】
第一フレームと第二フレームからなる一対のフレームと、
前記第一フレームと前記第二フレームとを連結する複数の連結部を備え、
前記第一フレームは、互いに離間する端部である複数の第一フレーム開放端部を備え、
前記第二フレームは、互いに離間する端部である複数の第二フレーム開放端部を備え、
前記第一フレーム開放端部と前記第二フレーム開放端部は前記連結部によって連結され、
前記第一フレームと前記第二フレームによって外形が形作られる一つの領域が形成され、
複数の前記連結部は同軸上で回動し、前記第一フレームと前記第二フレームとが対向する状態から、前記第一フレームと前記第二フレームとが展開する状態の間で回動することを特徴とする防球ネットフレーム。
【請求項２】
前記連結部は、少なくとも前記第一フレームと前記第二フレームとが対向して接触する状態から、前記第一フレームと前記第二フレームとが展開して一つの平面を形成する状態までの範囲で回動可能であることを特徴とする請求項１に記載の防球ネットフレーム。
【請求項３】
第一脚と第二脚を備え、
前記第一脚と前記第二脚は、それぞれ少なくとも１カ所で前記第一フレーム又は前記第二フレームに接続され、
さらに前記第一脚と前記第二脚とは一端部にて回動可能に軸支され、
前記第一脚及び前記第二脚と、前記第一フレーム又は前記第二フレームとによって三角形状が形成されることを特徴とする請求項１又は２に記載の防球ネットフレーム。
【請求項４】
さらに第三脚を備え、
前記第三脚は、一端部が前記第二脚と回動可能に軸支され、他端部が前記第一フレーム又は前記第二フレームと着脱可能に接続され、
前記第二脚及び前記第三脚と、前記第一フレーム又は前記第二フレームによって三角形状が形成されることを特徴とする請求項３に記載の防球ネットフレーム。
【請求項５】
前記第一脚の一端部が前記第一フレーム又は前記第二フレームに取り付けられ、前記第一脚の他端部が前記第二脚と軸支され、前記第一脚と前記第二脚とが直線上に収納可能であり、
前記第三脚の一端部が前記第二脚の一端部及び前記第一フレーム又は前記第二フレームのいずれか一方と固定され、前記第三脚の他端部が前記第二脚と軸支されて前記第二脚と直線上に重なって収納可能であり、
前記第一脚、前記第二脚及び前記第三脚は、前記第一フレーム又は前記第二フレームに沿って直線上に収納可能であることを特徴とする請求項４に記載の防球ネットフレーム。
【請求項６】
前記第一フレームと前記第二フレームはそれぞれ縦柱と横柱を備え、
前記縦柱は、前記第一フレーム及び前記第二フレームを地面に立設させたとき、地面に対して鉛直方向に沿う方向に延びる柱であり、
前記横柱は、前記縦柱と交差する方向に延びる柱であり、
前記第一フレーム開放端部と前記第二フレーム開放端部は、前記縦柱又は前記横柱に備えられ、
前記第一フレーム開放端部と前記第二フレーム開放端部は、前記連結部によって連結され、
前記連結部は、前記第一フレーム及び前記第二フレームを地面に立設させたとき、地面に対して鉛直方向を回動軸として回動することを特徴とする請求項１から５のいずれかに記載の防球ネットフレーム。
【請求項７】
前記第一フレーム開放端部及び前記第二フレーム開放端部は、前記横柱の端部に備えられ、前記第一フレーム開放端部及び前記第二フレーム開放端部における前記縦柱が延びる方向の寸法は、前記縦柱の幅又は径よりも大きいことを特徴とする請求項６に記載の防球ネットフレーム。
【請求項８】
前記第一フレーム開放端部及び前記第二フレーム開放端部は、複数の前記横柱の端部をつなぐ前記縦柱に備えられ、前記第一フレーム開放端部及び前記第二フレーム開放端部における前記縦柱が延びる方向の寸法は、前記縦柱の幅又は径よりも大きいことを特徴とする請求項６に記載の防球ネットフレーム。
【請求項９】
前記第一フレームと前記第二フレームは前記縦柱にそれぞれフレーム接続部を備え、
前記フレーム接続部は、前記第一フレームと前記第二フレームとを前記連結部によって回動させたとき、前記連結部における回動軸線方向において前記縦柱が対向する位置に備えられたことを特徴とする請求項６から８のいずれかに記載の防球ネットフレーム。
【請求項１０】
接続部材を備え、
前記第一フレームと前記第二フレームは前記接続部材によって前記連結部が固定され、前記第一フレーム及び前記第二フレームに網体が取り付けられるとき、一つの面状に張設される網体取り付け領域が形成されることを特徴とする請求項１から９のいずれかに記載の防球ネットフレーム。
【請求項１１】
請求項１から１０のいずれかに記載の防球ネットフレームを備え、前記防球ネットフレームに網体が取り付けられた防球ネット。
【請求項１２】
請求項９に記載の防球ネットフレームである第一防球ネットフレーム及び第二防球ネットフレームを備え、
前記第一防球ネットフレームは接続部材を備え、前記連結部にて連結された前記第一フレームと前記第二フレームとが前記接続部材によって固定され、
前記第二防球ネットフレームは、前記連結部にて所定角度に折り曲げられ、
前記第一防球ネットフレームは、前記第一フレーム及び前記第二フレームのそれぞれに前記第二防球ネットフレームが接続され、該第二防球ネットフレームはさらにそれぞれ前記第一防球ネットフレームが接続されて一体のコの字状に形成され、
前記第一防球ネットフレームと前記第二防球ネットフレームとは、前記フレーム接続部にて接続されることを特徴とするケージフレーム。
【請求項１３】
請求項１２に記載のケージフレームと、
前記第一防球ネットフレームに設けられる第一支柱と、
前記第二防球ネットフレームの前記連結部に隣接した位置に設けられる第二支柱と、
前記ケージフレームと前記第一支柱及び前記第二支柱に装着されるケージ用網体とを備え、
前記ケージ用網体はワイヤー部材を備え、
前記ワイヤー部材は、一端に取り付け部を備え、他端に紐状部材を備え、
前記第一支柱は、前記ワイヤー部材の前記取り付け部が取り付けられる固定部を備え、
前記第二支柱は、前記紐状部材が支持される支持部を備え、
前記ワイヤー部材の前記取り付け部が前記固定部に取り付けられ、前記紐状部材が前記支持部に支持され、
前記ケージ用網体は、前記紐状部材に張力が与えられることによって張設され、前記ケージフレームと前記第一支柱及び前記第二支柱に装着されることを特徴とするケージ。
【発明の詳細な説明】
【技術分野】
【０００１】
本発明は、野球の打撃練習や守備練習時に使用する防球ネットフレーム、防球ネット、ケージフレーム、及びケージに関する。
【背景技術】
【０００２】
従来、野球の打撃練習や守備練習時に使用する防球ネットやケージであって、収納時に折り畳まれるものが提案されている。
【０００３】
例えば、特許文献１の野球の打撃練習用ケージは、複数のコの字状の主フレームを連結する一対の連結フレームが設けられ、一対の連結フレームがその交差部を中心として回動する。網体は主フレームの間に張設され、一対のフレームが回動することにより網体が張られた状態と折り畳まれた状態とが形成される。網体が張られた状態では、網体の中央部で連結フレームが交差した状態が維持される。
【先行技術文献】
【特許文献】
【０００４】
【特許文献１】特開平７−１００２３６号公報
【発明の概要】
【発明が解決しようとする課題】
【０００５】
しかしながら、特許文献１のケージは網体が張られた状態では、網体の中央部で連結フレームが交差した状態が維持されるので、打球や送球された球が連結フレームに当たって跳ね返るという問題が考えられる。また、連結フレームは折り畳まれるものの主フレームは折り畳まれない。よって、ケージをコンパクトに収納できないという問題があった。
【０００６】
本発明の目的は、打球や送球された球が跳ね返ることを少なくしつつ、収納時には折り畳むことでコンパクトにできる防球ネットフレーム、防球ネットを提供し、さらに防球ネットフレームを組み合わせたケージフレーム及びケージを提供することにある。
【課題を解決するための手段】
【０００７】
本発明の第一の態様に係る防球ネットフレームは、第一フレームと第二フレームからなる一対のフレームと、前記第一フレームと前記第二フレームとを連結する複数の連結部を備え、前記第一フレームは、互いに離間する端部である複数の第一フレーム開放端部を備え、前記第二フレームは、互いに離間する端部である複数の第二フレーム開放端部を備え、前記第一フレーム開放端部と前記第二フレーム開放端部は前記連結部によって連結され、前記第一フレームと前記第二フレームによって外形が形作られる一つの領域が形成され、複数の前記連結部は同軸上で回動し、前記第一フレームと前記第二フレームとが対向する状態から、前記第一フレームと前記第二フレームとが展開する状態の間で回動する。
【０００８】
この場合、防球ネットフレームは第一フレームと第二フレームが連結部を介して回動することで折り畳んでコンパクトにすることができる。よって、移動や収納がしやすくなる。また、第一フレームは、互いに離間する端部である複数の第一フレーム開放端部を備え、第二フレームは、互いに離間する端部である複数の第二フレーム開放端部を備え、第一フレーム開放端部と第二フレーム開放端部は、連結部によって連結され、第一フレームと第二フレームは、連結部によって連結された状態で外形が形作られる一つの領域が形成される。よって、打球や送球がフレームに直接当たる可能性が低くなり、球が跳ね返ることが少なくなる。
【０００９】
また、前記防球ネットフレームの前記連結部は、少なくとも前記第一フレームと前記第二フレームとが対向して接触する状態から、前記第一フレームと前記第二フレームとが展開して一つの平面を形成する状態までの範囲で回動可能であってもよい。
【００１０】
この場合、防球ネットフレームは、第一フレームと第二フレームとが対向して接触するコンパクトな収納状態と、第一フレームと第二フレームとが展開して一つの平面を形成する使用状態とを形成できる。よって、収納状態と使用状態とを容易に形成できる。
【００１１】
また、前記防球ネットフレームは、第一脚と第二脚を備え、前記第一脚と前記第二脚は、それぞれ少なくとも１カ所で前記第一フレーム又は前記第二フレームに接続され、さらに前記第一脚と前記第二脚とは一端部にて回動可能に軸支され、前記第一脚及び前記第二脚と、前記第一フレーム又は前記第二フレームとによって三角形状が形成されてもよい。
【００１２】
この場合、防球ネットフレームは、第一脚と第二脚とが連結し、第一フレーム又は第二フレームを支持して三角形状が形成されるので、防球ネットフレームを確実に立設させることができる。
【００１３】
また、前記防球ネットフレームはさらに第三脚を備え、前記第三脚は、一端部が前記第二脚と回動可能に軸支され、他端部が前記第一フレーム又は前記第二フレームと着脱可能に接続され、前記第二脚及び前記第三脚と、前記第一フレーム又は前記第二フレームによって三角形状が形成されてもよい。
【００１４】
この場合、防球ネットフレームは、第一脚、第二脚及び第三脚が連結し、第一フレーム又は第二フレームの少なくとも一方と着脱可能に接続されて三角形状が形成されるので、防球ネットフレームをより確実に立設させることができる。
【００１５】
また、前記防球ネットフレームは、前記第一脚の一端部が前記第一フレーム又は前記第二フレームに取り付けられ、前記第一脚の他端部が前記第二脚と軸支され、前記第一脚と前記第二脚とが直線上に収納可能であり、前記第三脚の一端部が前記第二脚の一端部及び前記第一フレーム又は前記第二フレームのいずれか一方と固定され、前記第三脚の他端部が前記第二脚と軸支されて前記第二脚と直線上に重なって収納可能であり、前記第一脚、前記第二脚及び前記第三脚は、前記第一フレーム又は前記第二フレームに沿って直線上に収納可能であってもよい。
【００１６】
この場合、脚は第一フレーム又は第二フレームに沿って直線上に重ねて収納できるので、脚を取り外すことなくコンパクトに収納可能であり移動が容易になる。
【００１７】
また、前記防球ネットフレームは、前記第一フレームと前記第二フレームがそれぞれ縦柱と横柱を備え、前記縦柱は、前記第一フレーム及び前記第二フレームを地面に立設させたとき、地面に対して鉛直方向に沿う方向に延びる柱であり、前記横柱は、前記縦柱と交差する方向に延びる柱であり、前記第一フレーム開放端部と前記第二フレーム開放端部は、前記縦柱又は前記横柱に備えられ、前記第一フレーム開放端部と前記第二フレーム開放端部は、前記連結部によって連結され、前記連結部は、前記第一フレーム及び前記第二フレームを地面に立設させたとき、地面に対して鉛直方向を回動軸として回動してもよい。
【００１８】
この場合、防球ネットフレームは、第一フレーム及び第二フレームを地面に立設させた状態で回動させることができるので、容易に収納状態を形成できる。
【００１９】
また、前記防球ネットフレームの前記第一フレーム開放端部及び前記第二フレーム開放端部は、前記横柱の端部に備えられ、前記第一フレーム開放端部及び前記第二フレーム開放端部における前記縦柱が延びる方向の寸法は、前記縦柱の幅又は径よりも大きくてもよい。
【００２０】
この場合、防球ネットフレームの開放端部は、縦柱が延びる方向の寸法が縦柱の幅又は径よりも大きいので開放端部の強度が強くなる。第一フレームと第二フレームが開閉されたとき連結部によって連結された開放端部が破損することを防止できる。
【００２１】
また、前記防球ネットフレームの前記第一フレーム開放端部及び前記第二フレーム開放端部は、複数の前記横柱の端部をつなぐ前記縦柱に備えられ、前記第一フレーム開放端部及び前記第二フレーム開放端部における前記縦柱が延びる方向の寸法は、前記縦柱の幅又は径よりも大きくてもよい。
【００２２】
この場合、防球ネットフレームの開放端部は、複数の横柱の端部をつなぐ縦柱に形成されるので連結部における開放端部の強度が強くなる。第一フレームと第二フレームが開閉されたとき連結部によって連結された開放端部が破損することを防止できる。
【００２３】
また、前記防球ネットフレームは、前記第一フレームと前記第二フレームは前記縦柱にそれぞれフレーム接続部を備え、前記フレーム接続部は、前記第一フレームと前記第二フレームとを前記連結部によって回動させたとき、前記連結部における回動軸線方向において前記縦柱が対向する位置に備えられてもよい。
【００２４】
この場合、防球ネットフレームは、第一フレームと第二フレームとが隣接するように複数個並べるとフレーム接続部が回動軸線方向において対向する。よって、複数個の防球ネットフレームを接続することができるので、大きなサイズの防球ネットフレームを用意しなくてもよい。
【００２５】
また、前記防球ネットフレームは接続部材を備え、前記第一フレームと前記第二フレームは前記接続部材によって前記連結部が固定され、前記第一フレーム及び前記第二フレームに網体が取り付けられるとき、一つの面状に張設される網体取り付け領域が形成されてもよい。
【００２６】
この場合、防球ネットフレームは一つの面状に張設される網体取り付け領域が形成され、網体が取り付けられたとき防球機能を果たすことができる。
【００２７】
また、本発明の第二の態様に係る防球ネットは上記に記載のいずれかの防球ネットフレームを備え、前記防球ネットフレームに網体が取り付けられてもよい。
【００２８】
この場合、上記に記載の防球ネットフレームの効果を奏した防球ネットを提供することができる。
【００２９】
本発明の第三の態様に係るケージフレームは、上記に記載の防球ネットフレームである第一防球ネットフレーム及び第二防球ネットフレームを備え、前記第一防球ネットフレームは接続部材を備え、前記連結部にて連結された前記第一フレームと前記第二フレームとが前記接続部材によって固定され、前記第二防球ネットフレームは、前記連結部にて所定角度に折り曲げられ、前記第一防球ネットフレームは、前記第一フレーム及び前記第二フレームのそれぞれに前記第二防球ネットフレームが接続され、該第二防球ネットフレームはさらにそれぞれ前記第一防球ネットフレームが接続されて一体のコの字状に形成され、前記第一防球ネットフレームと前記第二防球ネットフレームとは、前記フレーム接続部にて接続されてもよい。
【００３０】
この場合、ケージフレームは防球ネットフレームを複数個接続させることにより形成することができるので、防球ネットフレームとケージフレームとを別々に準備する必要が無い。
【００３１】
また、本発明の第四の態様に係るケージは、上記に記載のケージフレームと、前記第一防球ネットフレームに設けられる第一支柱と、前記第二防球ネットフレームの前記連結部に隣接した位置に設けられる第二支柱と、前記ケージフレームと前記第一支柱及び前記第二支柱に装着されるケージ用網体とを備え、前記ケージ用網体はワイヤー部材を備え、前記ワイヤー部材は、一端に取り付け部を備え、他端に紐状部材を備え、前記第一支柱は、前記ワイヤー部材の前記取り付け部が取り付けられる固定部を備え、前記第二支柱は、前記紐状部材が支持される支持部を備え、前記ワイヤー部材の前記取り付け部が前記固定部に取り付けられ、前記紐状部材が前記支持部に支持され、前記ケージ用網体は、前記紐状部材に張力が与えられることによって張設され、前記ケージフレームと前記第一支柱及び前記第二支柱に装着されてもよい。
【００３２】
この場合、ケージは、ケージフレームと第一防球ネットフレームに設けられる第一支柱と、第二防球ネットフレームの連結部に隣接して設けられる第二支柱にケージ用網体が備えられるので、バッティングケージを形成することができる。また、ケージフレームは防球ネットフレームを複数組み合わせて形成できるので、必要時に組み立てを行い収納時には取り外してコンパクトにできる。
【図面の簡単な説明】
【００３３】
【図１】防球ネットフレーム１に網体８が取り付けられた防球ネット６０の全体図である。
【図２】防球ネットフレーム１を示した図である。
【図３】防球ネット６０を後側から見た図とその平面図である。
【図４】防球ネット６０を連結部３にて折り曲げて立設させた図である。
【図５】防球ネットフレーム１において、後脚５、横脚６、前脚７が、左フレーム２Ｌに取り付けられた状態から左フレーム２Ｌの縦柱２ＬＶに沿って収納されるまでの状態変化を（ａ）〜（ｅ）によって説明した図であり、（ｇ）は（ａ）の断面図であり、（ｆ）は（ｅ）の断面図である。
【図６】防球ネット６０を連結部３にて折り畳んだ状態を示した図である。
【図７】防球ネット６０を複数個接続した状態を示した図であり、（ａ）は防球ネット６０が接続されて並んだ状態を示し、（ｂ）は接続部分Ｃを拡大した部分断面図である。
【図８】防球ネット６０を連結部３にて折り曲げ、練習用の野球グランドにて使用する状態を示した図であり、（ａ）は防球ネット６０がホームベース近くに置かれ、内野手及び外野手からの送球を受け止める様子を示し、（ｂ）は防球ネット６０がファーストベース近くに置かれ、内野手からの送球を受け止める様子を示し、（ｃ）は防球ネット６０がセカンドベース近くに置かれ、ピッチャーからの送球を受け止める様子を示し、（ｄ）は防球ネット６０がセカンドベース近くに置かれ、外野手からの送球を受け止める様子を示し、（ｅ）は走者の練習領域を確保するために防球ネット６０を複数個接続して置かれた状態を示す。
【図９】防球ネット６０を組み合わせた状態を示した平面図であり、（ａ）は連結部３で折り曲げられた２個の防球ネット６０が設置された状態を示し、（ｂ）は連結部３で折り曲げられた４個の防球ネット６０が接続されて設置された状態を示す。
【図１０】防球ネットフレーム１を組み合わせて形成したケージフレーム５０の平面図である。
【図１１】ケージ７０の形成と、ケージ用網体５１がケージフレーム５０に取り付けられる状態を説明した図である。
【図１２】図１１に示すケージフレーム５０におけるＡ部の拡大図（ａ）と断面図（ｂ）である。
【図１３】図１１に示すケージフレーム５０のＢ視図である。
【図１４】防球ネットフレーム１の変形例であり、各変形例における各左フレーム８２Ｌ、右フレーム８２Ｒと連結部８３を説明した図（ａ）〜（ｈ）である。
【発明を実施するための形態】
【００３４】
以下、図面を参照し、本発明の防球ネットフレーム１、防球ネット６０、ケージフレーム５０及びケージ７０を具体化した実施形態について説明する。なお、参照する図面は、本発明を採用しうる技術的特徴を説明するために用いられるものであり、それのみに限定するものでは無い。
【００３５】
図１から図７を用いて本発明の防球ネットフレーム１を説明する。図１は、本発明の防球ネットフレーム１が組み立てられた状態の説明図である。図１に示すように、紙面斜め左下から右上に向かう方向が防球ネットフレーム１の左右方向であり、紙面右下から斜め左上に向かう方向が防球ネットフレーム１の前後方向、紙面の上から下へ向かう方向が上下方向である。上下方向は、防球ネットフレーム１を地面に立設させたときの鉛直方向に一致する。防球ネットフレーム１は、左フレーム２Ｌ、右フレーム２Ｒからなる一対のフレーム２と、連結部３にて形成される。さらに、脚として後脚５、横脚６、前脚７が取り付けられる。防球ネット６０は、防球ネットフレーム１に網体８が取り付けられたものである。
【００３６】
図１は、防球ネットフレーム１に網体８が取り付けられた防球ネット６０を示す。左フレーム２Ｌと右フレーム２Ｒは、連結部３を介して平面視で直線上に接続され、接続部材４によって固定される。網体８が取り付けられる領域は、一つの面状に張設される領域であって網体取り付け領域８ａである。網体取り付け領域８ａは、網体８が取り付けられたときに網体８があたかも１枚の平面状になり、網体取り付け領域８ａを横切るフレーム材等が無く、網体取り付け領域８ａを遮るような部材は存在しない。
【００３７】
図２に示すように、後面視でコの字状の左フレーム２Ｌには、上下方向に延びる縦柱２ＬＶが設けられている。左フレーム２Ｌには、左右方向に延びる横柱２ＬＡと横柱２ＬＢとが上から順に並んで組をなし縦柱２ＬＶの上部と下部の２組備えられる。前面視でコの字状の右フレーム２Ｒには、上下方向に延びる縦柱２ＲＶが設けられている。右フレーム２Ｒには、左右方向に延びる横柱２ＲＡと横柱２ＲＢとが上から順に並んで組をなし縦柱２ＲＶの上部と下部に２組備えられる。左フレーム２Ｌと右フレーム２Ｒとが連結部３によって連結された状態で、外形が形作られる一つの領域８０が形成される。外形が形作られる一つの領域８０は、左フレーム２Ｌと右フレーム２Ｒによって外形が形成され、領域８０を横切るような他の部材は無い。
【００３８】
なお、図１〜図４では、左フレーム２Ｌ及び右フレーム２Ｒはコの字状を例に示しているが、コの字状に限定されない。例えば、縦柱２ＬＶと横柱２ＬＡ及び横柱２ＬＢとが直角につながるのではなく、図１４（ｈ）に示すように角Ｒの形状でつながっても良い。また、左フレーム２Ｌの縦柱２ＬＶと右フレーム２Ｒの縦柱２ＲＶは、防球ネットフレーム１を地面に立設させたときに必ずしも鉛直方向に延びる必要はない。左フレーム２Ｌの縦柱２ＬＶと右フレーム２Ｒの縦柱２ＲＶは鉛直方向に沿う方向であれば良い。左フレーム２Ｌの横柱２ＬＡと横柱２ＬＢについても、縦柱２ＬＶと交差する方向に延びれば良く、防球ネットフレーム１を地面に立設させたときに必ずしも水平方向でなくてもよい。例として、図１４に示す。例えば、図１４（ｃ）の五角形状、図１４（ｄ）の三角形状、図１４（ｆ）の楕円形状、図４（ｇ）の左右で異なる形状であってもよい。外形が形作られる一つの領域８０は、左フレーム２Ｌと右フレーム２Ｒによって外形が形成され、矩形形状に限らない様々な形状であってもよい。
【００３９】
左フレーム２Ｌの開放端部２ＬＣは、左フレーム２Ｌの横柱２ＬＡと横柱２ＬＢとを上下方向につなぐ縦柱２ＬＶに形成される。右フレーム２Ｒの開放端部２ＲＣも同様に、横柱２ＲＡと横柱２ＲＢとを上下方向につなぐ縦柱２ＲＶに形成される。開放端部２ＬＣは、左フレーム２Ｌにおける右側（右フレーム２Ｒ側）の端部であり、開放端部２ＲＣは、右フレーム２Ｌにおける左側（左フレーム２Ｌ側）の端部である。左フレーム２Ｌにおける上下２カ所の開放端部２ＬＣは、上下方向に連結されることなく分離している。同様に、右フレーム２Ｒにおける上下２カ所の開放端部２ＲＣは、上下方向に連結されることなく分離している。開放端部２ＬＣと開放端部２ＲＣの長さ（縦柱２ＬＶ及び縦柱２ＲＶが延びる上下方向の寸法）はほぼ同じ長さであり、左フレーム２Ｌと右フレーム２Ｒの他の部分である縦柱２ＬＶ及び縦柱２ＲＶの左右方向の幅寸法又は径寸法よりも長い。
【００４０】
図２に示すように、接続部材４は、ネジ穴２４にネジ１１が通され、右フレーム２Ｒのネジ部１５に締め付けられる。接続部材４は、ネジ１１が弛められた状態でネジ穴２４を中心に回転可能である。図１に示すように、左フレーム２Ｌと右フレーム２Ｒとを連結部３を介して直線上に接続するとき、接続部材４は、一方はネジ１１によって右フレーム２Ｒに固定され、他方は切欠き部２２が左フレーム２Ｌに取り付けられた接続ピン１２に係合される。
【００４１】
図３は、防球ネット６０を後から見た図とその平面図である。図３に示すように、連結部３は蝶番であって、回転中心３Ｃと回転中心３Ｃの周りに回転する２枚のプレート３Ｐからなる。図２及び図３に示すように、連結部３は、プレート３Ｐが左フレーム２Ｌの開放端部２ＬＣと、右フレーム２Ｒの開放端部２ＲＣにそれぞれネジ１１にて締結される。連結部３は上下２カ所に分離独立して設けられるが、回転中心３Ｃは上下方向の同軸上に形成される。左フレーム２Ｌと右フレーム２Ｒとは、連結部３を介して、平面視で左フレーム２Ｌと右フレーム２Ｒとがなす角が１８０度以下の範囲で開閉可能である。図６においては、左フレーム２Ｌと右フレーム２Ｒとが対向して接触する状態まで折り畳まれている。
【００４２】
図３に示すように、防球ネットフレーム１に網体８の取り付け部９が取り付けられて防球ネット６０が形成される。網体８の取り付け部９は、上側の左フレーム２Ｌの横柱２ＬＢ、上側の右フレーム２Ｒの横柱２ＲＢ、左フレーム２Ｌの縦柱２ＬＶ、右フレーム２Ｒの縦柱２ＲＶ、下側の横柱２ＬＡと下側の横柱２ＲＡとにそれぞれ取り付けられる。このため、防球ネット６０が、網体８の取り付け部９が上側の横柱２ＬＡ、上側の横柱２ＲＡに取り付けられる場合に比べて、連結部３にて折り曲げる場合に網体８が２枚のプレート３Ｐの間に挟まれ難くなり、折り曲げ易くなる。網体８の取り付け部９が下側の右フレーム２Ｒの横柱２ＲＢ、下側の左フレーム２Ｌの横柱２ＬＢに取り付けられたときと比較した場合も同様である。
【００４３】
図４は、左フレーム２Ｌと右フレーム２Ｒとが連結部３を介して折り曲げられて立設した状態を示す。接続部材４は、一方はネジ１１によって右フレーム２Ｒに固定され、他方は切欠き部２３が右フレーム２Ｒに取り付けられた接続ピン１０に係合される。従って、接続部材４は網体８が取り付けられた領域外に固定される。
【００４４】
図５は、左フレーム２Ｌの縦柱２ＬＶと各脚との関係を示すが、右フレーム２Ｒにも同様に脚が形成される。以下の説明では、左フレーム２Ｌの縦柱２ＬＶと脚との関係を説明する。
【００４５】
図５（ａ）を用いて、脚の説明をする。脚は、後脚５、横脚６、前脚７の３つの脚で形成される。図５（ａ）は、脚が左フレーム２Ｌの縦柱２ＬＶに取り付けられて防球ネットフレーム１が立設した状態を示す。図５（ｇ）は、図５（ａ）の断面図である。後脚５の一端が、穴１４にて左フレーム２Ｌの縦柱２ＬＶにボルト２０と蝶ナット１９とで締結される。後脚５の他端部は、支軸２７を介して横脚６の一端と回動自在に連結される。横脚６の凸部１６は、左フレーム２Ｌの縦柱２ＬＶの穴１３に挿入される。横脚６の他端は、前脚７の一端で支軸２６を介して回動可能に連結される。前脚７の他端は、左フレーム２Ｌの縦柱２ＬＶの穴１７にてボルト２０と蝶ナット１９で締結される。後脚５と前脚７は、横脚６に対して図の手前側に位置する。
【００４６】
後脚５と横脚６と左フレーム２Ｌの縦柱２ＬＶは、取り付け状態にて一つの三角形状を形成する。また横脚６と前脚７と左フレーム２Ｌの縦柱２ＬＶは、取り付け状態にて一つの三角形状を形成する。さらに、後脚５と横脚６と前脚７とは一つの三角形状を形成する。従って、防球ネットフレーム１は脚の剛性が高くなり、確実に立設される。
【００４７】
次に、本発明における脚の収納手順を説明する。図５（ａ）〜図５（ｅ）は後脚５、横脚６、前脚７と左フレーム２Ｌの縦柱２ＬＶとの関係を示す。図５（ａ）は防球ネットフレーム１が立設した状態を示す。図５（ｂ）〜図５（ｅ）は脚を左フレーム２Ｌの縦柱２ＬＶに収納するときの手順と後脚５、横脚６、前脚７の動きを示した図である。
【００４８】
図５（ｂ）に示すように、前脚７は、蝶ナット１９とボルト２０が左フレーム２Ｌの縦柱２ＬＶから取り外され、支軸２６を中心に回動させて横脚６に重ねられる。前脚７は、前脚７の穴２８と横脚６の穴２５とが重なる位置でボルト２０と蝶ナット１９にて横脚６に締結される。
【００４９】
図５（ｃ）に示すように、後脚５は穴１４における蝶ナット１９が弛められて回転し、図５（ｄ）に示すように左フレーム２Ｌの縦柱２ＬＶと重ねられる。さらに、図５（ｅ）及び図５（ｆ）に示すように前脚７は支軸２７を中心に回動されて左フレーム２Ｌの縦柱２ＬＶと重ねられる。横脚６と前脚７とが締結されていたボルト２０と蝶ナット１９は一旦外され、図５（ｆ）に示すようにボルト２０よりも長いボルト３１が、前脚７の穴２８と横脚６の穴２５と左フレーム２Ｌの縦柱２ＬＶの穴１８とに通され、蝶ナット１９によって締結される。網体８の取り付け部９は、左フレーム２Ｌの縦柱２ＬＶと後脚５、前脚７に挟まれた状態にある。
【００５０】
次に、防球ネットフレーム１と防球ネット６０の使用方法と作用を説明する。
【００５１】
図１は、左フレーム２Ｌと右フレーム２Ｒとが展開された状態を示す。防球ネットフレーム１は、左フレーム２Ｌと右フレーム２Ｒとで囲われた網体取り付け領域８ａが形成され、網体８が網体取り付け領域８ａに取り付けられる。網体８は、網体取り付け領域８ａの領域内を横切るフレーム材等が無いので全領域で球を受け止めることができる。
【００５２】
図１の状態の防球ネット６０は、バッターボックスの簡易的なバックネットやピッチング練習のときに球を投げ込むネットして使用できる。防球ネット６０は、後脚５、横脚６、前脚７が左フレーム２Ｌの縦柱２ＬＶと右フレーム２Ｒの縦柱２ＲＶとに取り付けられ、安定して立設する。従って、防球ネット６０は、前側と後側のどちら側を球の受側としても良い。また、網体８が取り付けられる網体取り付け領域８ａは、領域内を横切るフレーム材等が無いので球が跳ね返ることなく受け止められる。
【００５３】
図４に示す防球ネット６０は、連結部３にて左フレーム２Ｌと右フレーム２Ｒとが折り曲げられた状態を示す。防球ネット６０は、適度の角度で折り曲げられることにより、異なる方向からの球を受けることができる。また、防球ネット６０は、前側と後側のどちら側を球の受側としても良い。具体的な使用方法は、図８を用いて後述する。
【００５４】
図６は、防球ネット６０の左フレーム２Ｌと右フレーム２Ｒが連結部３で折り畳まれた状態を示す。後脚５、横脚６、前脚７は、左フレーム２Ｌの縦柱２ＬＶと右フレーム２Ｒの縦柱２ＲＶに折り畳まれて収納される。防球ネット６０は、図１に示すように左フレーム２Ｌと右フレーム２Ｒとが展開された状態に比べほぼ１／２の面積に納められる。左フレーム２Ｌと右フレーム２Ｒによって外形が形作られる一つの領域８０は、図１及び図２に示す場合に対して１／２に折り畳まれた状態になる。このとき、左フレーム２Ｌと右フレーム２Ｒによって外形が形作られる一つの領域８０は、左フレーム２Ｌ及び右フレーム２Ｒに囲われない開放端８０ａが形成される。従って、折り畳まれた防球ネット６０は車等へ収納する際の収納スペースが小さくて済み、移動が容易である。また折り畳まれた防球ネット６０は持ち運びも容易である。
【００５５】
図７は、防球ネット６０を複数個接続した状態を示す。図７（ａ）は、防球ネット６０が複数個並んで接続された状態を示し、図７（ｂ）は接続部分Ｃを拡大した部分断面図である。防球ネット６０が接続されるときは、左フレーム２Ｌの縦柱２ＬＶと右フレーム２Ｒの縦柱２ＲＶとが接続される。左フレーム２Ｌの縦柱２ＬＶと右フレーム２Ｒの縦柱２ＲＶには、上下方向で同じ位置に穴１４、穴１７及び穴１８が設けられる。左フレーム２Ｌの縦柱２ＬＶと右フレーム２Ｒの縦柱２ＲＶが左右方向に並べられたときに、ネジ穴として使用するためである。穴１４、穴１７及び穴１８が左フレーム２Ｌと右フレーム２Ｒとのフレーム接続部である。ボルト５６が穴１４、穴１７及び穴１８にそれぞれ通され、蝶ナット１９によって締結される。
【００５６】
防球ネット６０の脚は、図５（ａ）に示すように後脚５、横脚６、前脚７が左フレーム２Ｌの縦柱２ＬＶに取り付けられた状態で接続される。図７（ｂ）に示すように、左フレーム２Ｌの縦柱２ＬＶと右フレーム２Ｒの縦柱２ＲＶは、後脚５（図示しない）と横脚６と前脚７とを挟んだ状態で接続される。なお、図７（ｂ）は、右フレーム２Ｒの縦柱２ＲＶに取り付けられていた後脚５、横脚６、及び前脚７が取り外された状態を示す。後脚５、横脚６、及び前脚７は、右フレーム２Ｒの縦柱２ＲＶに取り付けられたままの状態でも良いが、その場合ボルト５６をさらに長さが長いボルトに変更する必要がある。
【００５７】
網体８の取り付け部９は、後脚５及び前脚７と左フレーム２Ｌの縦柱２ＬＶ及び右フレーム２Ｒの縦柱２ＲＶとの間に挟まれた状態である。左フレーム２Ｌの縦柱２ＬＶと右フレーム２Ｒの縦柱２ＲＶとの間の距離は、取り付け部９の取り付け状態によって変動するため、ボルト５６と蝶ナット１９の締め付け量によって調整される。
【００５８】
図８は、防球ネット６０が野球の練習用グランドで使用される状態を示す。図８（ａ）は防球ネット６０がホームベース近くに置かれ、内野手及び外野手からの送球を受け止める様子を示す。外野手Ｈ１、外野手Ｈ２、外野手Ｈ３、内野手Ｈ４，内野手Ｈ５、内野手Ｈ６、内野手Ｈ７がノック等受けた球をホームベースへ送球練習することが可能となる。従来のように防球ネットが平面状のみのものであれば、送球できる範囲が限られるので、同時に練習できる人数が限られる。
【００５９】
図８（ｂ）は防球ネット６０がファーストベース近くに置かれ、内野手からの送球を受け止める様子を示す。内野手Ｈ４、内野手Ｈ５、内野手Ｈ６がノック等で受けたボールをファーストベースへ送球練習することが可能となる。従来のように防球ネットが平面状のみのものであれば、例えば同時に練習できる野手はせいぜい内野手Ｈ４、内野手Ｈ５の二人に限られる。図８（ｃ）は防球ネット６０がセカンドベース近くに置かれ、ピッチャーからの送球を受け止める様子を示す。投手Ｈ８は、バント処理等の練習の際に広い範囲にころがった打球を受け止めてセカンドベースめがけて送球することができる。
【００６０】
図８（ｄ）は防球ネット６０がセカンドベース近くに置かれ、外野手からの送球を受け止める様子を示す。外野手Ｈ１、外野手Ｈ２、外野手Ｈ３はノック等の打球を受けセカンドベースめがけて返送することができる。従来のように防球ネットが平面状のみのものであれば、同時に練習できるのはせいぜい外野手が一人か二人である。
【００６１】
図８（ｅ）は走者の練習領域を確保するために防球ネット６０を複数個接続して置かれた状態を示す。複数接続された防球ネット６０は、練習用グランドを分離して使用することを可能にする。内野手がダイヤモンドの内部にて練習し、複数の防球ネット６０の外側にて走者が走塁練習することが可能となる。従来のように防球ネットが平面状のみのものは、例えばＥ１、Ｅ２の部分は防球ネット同士を接続することができないので防球ネットが重なって隙間ができてしまい、ボールを受け止められないという問題があった。
【００６２】
図９は、防球ネット６０を組み合わせた状態を示した図である。図９（ａ）は連結部３で折り曲げられた２個の防球ネット６０が立設された状態を示す。折り曲げて立設された２個の防球ネット６０は、３６０度の方向から送球される球を受けることができる。防球ネット６０は、脚を内部に突出させるように取り付けることで安定して立設させることができる。
【００６３】
図９（ｂ）は連結部３で折り曲げられた４個の防球ネット６０が接続されて設置された状態を示す。図９（ｂ）は、図９（ａ）に比べて広範囲で球を受けることが可能となり、さらに防球ネット６０同士を接続することができるので、安定して立設させることができる。防球ネット６０は、脚を取り付けることでさらに安定して立設させることができるが、脚がなくてもよい。
【００６４】
次に、図１０から１３を用いて本発明のケージフレーム５０及びケージ７０を説明する。
【００６５】
本発明のケージ７０は主にバッティングケージとして使用される。図１０はケージフレーム５０の平面図である。ケージフレーム５０は、防球ネットフレーム１（より詳細には後述する第一防球ネットフレーム１ａと第二防球ネットフレーム１ｂ）を複数個（本実施形態では一例として７個）接続して形成される。ケージフレーム５０は平面視でコの字状に形成され、一方が開放したものである。より詳細には、ケージフレーム５０は、開放された部分（図１０の紙面上側の部分）に向かうほど、開放の幅（図１０の紙面左右方向の幅）が広がるように形成されている。防球ネットフレーム１として、左フレーム２Ｌと右フレーム２Ｒとが展開されて接続部材４によって固定された第一防球ネットフレーム１ａと、左フレーム２Ｌと右フレーム２Ｒとが連結部３で折り曲げられた第二防球ネットフレーム１ｂが用いられる。
【００６６】
図１０に示すように、ケージフレーム５０においては、第一防球ネットフレーム１ａの両側に第二防球ネットフレーム１ｂが接続され、さらに、第二防球ネットフレーム１ｂには直線状に２個の第一防球ネットフレーム１ａが接続される。ケージフレーム５０は左右対称形状に形成される。
【００６７】
図１１は、ケージ７０の全体を示した斜視図であり、ケージフレーム５０とケージフレーム５０に取り付けられるケージ用網体５１を示す。ケージフレーム５０は、第一防球ネットフレーム１ａと第二防球ネットフレーム１ｂとがコの字状に接続された第一ケージフレーム５０ａの上に、さらにケージ用網体５１を取り付けるためのケージフレーム上部５０ｂが形成される。ケージフレーム上部５０ｂは、第一ケージフレーム５０ａの角部の４カ所に第一支柱５９と第二支柱５２が取り付けられる。
【００６８】
図１１に示すように、第一ケージフレーム５０ａは第一防球ネットフレーム１ａと第二防球ネットフレーム１ｂとが接続される。第一防球ネットフレーム１ａの左フレーム２Ｌの縦柱２ＬＶは、第二防球ネットフレーム１ｂの左フレーム２Ｌの縦柱２ＬＶと並んで接続される。第一防球ネットフレーム１ａの右フレーム２Ｒの縦柱２ＲＶは、第二防球ネットフレーム１ｂの右フレーム２Ｒの縦柱２ＲＶと並んで接続される。第一防球ネットフレーム１ａと第二防球ネットフレーム１ｂとは前後が逆の方向で接続される。これは、脚は図５（ｂ）に示す状態にされ、第一防球ネットフレーム１ａと第二防球ネットフレーム１ｂとが前後方向を同じくして接続されると、脚がケージ７０内部に突出してしまうためである。
【００６９】
ケージ用網体５１は、予めケージフレーム５０の形状に合わせて形成され、辺となる部分はワイヤー部材５３が取り付けられる。ワイヤー部材５３は、図１１に示すように平面視で台形形状を形成するように連結され、２カ所の角部には第一支柱５９と連結するための取り付け部５３ａが設けられる。他の２カ所の角部である５３ｂには、ケージ用網体５１を張設するための紐状部材５８が接続される。ケージ用網体５１の下部には複数の紐５１ａが取り付けられる。紐５１ａは、ケージ用網体５１をケージフレーム５０に結びつけるときに使用される。
【００７０】
図１２は、図１１におけるＡ部の拡大図（ａ）と断面図（ｂ）からなる。第二支柱５２は円筒形状の先端に板状部５２ａが２カ所あり、防球ネットフレーム１への取り付けに用いられる。図１２は、第二支柱５２が右フレーム２Ｒの横柱２ＲＡと横柱２ＲＢとに取り付けられるが、左フレーム２Ｌへも同様に取り付けられる。２カ所の板状部５２ａは横柱２ＲＡと横柱２ＲＢを挟むように挿入され、２カ所がボルト５４と蝶ナット１９によって締結される。図１２は、第二支柱５２が防球ネットフレーム１に取り付けられる状態を示すが、第一支柱５９が防球ネットフレーム１に取り付けられる状態も同様である。
【００７１】
図１３は、図１１のＢ視図である。向かって左側の第二支柱５２の内側にはリング状の支持部５５が取り付けられる。リング状の支持部５５は紐状部材５８を案内するためのもので、矢印方向に紐状部材５８を引っ張ってケージフレーム５０に覆われるケージ用網体５１を張設支持する。向かって右側の第一支柱５９の内側には、ワイヤー部材５３の取り付け部５３ａを取り付ける固定部５９ａが設けられる。
【００７２】
第一防球ネットフレーム１ａと第二防球ネットフレーム１ｂとは、ボルト５６と蝶ナット１９によって締結される。第一防球ネットフレーム１ａ同士の締結も同様である。図１３のＣは図７（ｂ）と同様であるが、図１３では網体８の取り付け部９は無い。また図７（ｂ）は右フレーム２Ｒの縦柱２ＲＶと左フレーム２Ｌの縦柱２ＬＶとが接続される状態を示す。右フレーム２Ｒの縦柱２ＲＶと右フレーム２Ｒの縦柱２ＲＶとの接続や左フレーム２Ｌの縦柱２ＬＶと左フレーム２Ｌの縦柱２ＬＶとの接続も同様である。
【００７３】
バッティング用のケージ７０は、防球ネットフレーム１が複数個接続された第一ケージフレーム５０ａに第二支柱５２と第一支柱５９を取り付け、ケージ用網体５１を組みつけるだけで組み立てられる。
【００７４】
以上説明したように、本発明における防球ネット６０、防球ネットフレーム１が形成される。本発明における防球ネット６０及び防球ネットフレーム１は種々の効果を奏する。以下に効果を説明する。
【００７５】
図１〜図４及び図６に示すように、防球ネットフレーム１は、第一フレームと第二フレームからなる一対のフレーム２と、第一フレームと第二フレームとを連結する複数の連結部３を備え、第一フレームは、互いに離間する端部である複数の第一フレーム開放端部を備え、第二フレームは、互いに離間する端部である複数の第二フレーム開放端部を備え、第一フレーム開放端部と第二フレーム開放端部は連結部３によって連結され、第一フレームと第二フレームによって外形が形作られる一つの領域８０が形成され、複数の連結部３は同軸上で回動し、第一フレームと第二フレームとが対向する状態から、第一フレームと第二フレームとが展開する状態の間で回動する。ここで、第一フレームは左フレーム２Ｌ又は右フレーム２Ｒのいずれか一方が相当し、第二フレームは左フレーム２Ｌ又は右フレーム２Ｒの他方が相当する。或いは、第一フレームは左フレーム８２Ｌ又は右フレーム８２Ｒのいずれか一方が相当し、第二フレームは左フレーム８２Ｌ又は右フレーム８２Ｒの他方が相当する。第一フレーム開放端部と第二フレーム開放端部は、それぞれ左フレーム２Ｌの開放端部２ＬＣまたは右フレーム２Ｒの開放端部２ＲＣのいずれかが相当する。或いは、第一フレーム開放端部と第二フレーム開放端部は、それぞれ左フレーム８２Ｌの開放端部８２ＬＣまたは右フレーム８２Ｒの開放端部８２ＲＣのいずれかが相当する。
【００７６】
この場合、防球ネットフレーム１は第一フレームと第二フレームが連結部３を介して回動することで折り畳まれる。よって、移動や収納がしやすくなる。また、第一フレームは、互いに離間する端部である複数の第一フレーム開放端部を備え、第二フレームは、互いに離間する端部である複数の第二フレーム開放端部を備え、第一フレーム開放端部と第二フレーム開放端部は、連結部３によって連結され、第一フレームと第二フレームは、連結部３によって連結された状態で外形が形作られる一つの領域８０が形成される。よって、打球や送球が一対のフレーム２に直接当たる可能性が低くなり、球が跳ね返ることが少なくなる。なお、防球ネットフレーム１に網体８が取り付けられた防球ネット６０は防球ネットフレーム１と同様に折り畳むことができるので、防球ネット６０を収納する際に網体８を取り外す必要は無い。
【００７７】
また、図２、図３、及び図６に示すように、防球ネットフレーム１の連結部３は、少なくとも第一フレームと第二フレームとが対向して接触する状態から、第一フレームと第二フレームとが展開して一つの平面を形成する状態までの範囲で回動可能である。
【００７８】
この場合、防球ネットフレーム１は、第一フレームと第二フレームとが対向して接触するコンパクトな収納状態と、第一フレームと第二フレームとが展開して一つの平面を形成する使用状態とを形成できる。よって、収納状態と使用状態とを容易に形成できる。
【００７９】
また、図５（ａ）及び図５（ｂ）に示すように、防球ネットフレーム１は、複数の脚である第一脚と第二脚を備え、第一脚と第二脚は、それぞれ少なくとも１カ所で第一フレーム又は第二フレームに接続され、さらに第一脚と第二脚とは一端部にて回動可能に軸支され、第一脚、第二脚と第一フレーム又は第二フレームとによって三角形状が形成される。ここで、第一脚は前脚７又は後脚５のいずれか一方が相当し、第二脚は横脚６が相当する。
【００８０】
この場合、防球ネットフレーム１は、第一脚と第二脚とが連結し、第一フレーム又は第二フレームを支持して三角形状が形成されるので、防球ネットフレーム１を確実に立設させることができる。
【００８１】
また、図５（ａ）に示すように、防球ネットフレーム１はさらに第三脚を備え、第三脚は一端部が第二脚と回動可能に軸支され、他端部が第一フレーム又は第二フレームと着脱可能に接続され、第二脚及び第三脚と第一フレーム又は第二フレームによって三角形状が形成される。ここで、第一脚は前脚７又は後脚５のいずれか一方が相当し、第三脚は前脚７又は後脚５の他方が相当する。第二脚は横脚６が相当する。
【００８２】
この場合、防球ネットフレーム１は、第一脚、第二脚及び第三脚が連結し、第一フレーム又は第二フレームの少なくとも一方と着脱可能に接続されて三角形状が形成されるので、防球ネットフレーム１をより確実に立設させることができる。
【００８３】
また、図５（ａ）〜図５（ｇ）に示すように、防球ネットフレーム１は、第一脚の一端部が第一フレーム又は第二フレームに取り付けられ、第一脚の他端部が第二脚と軸支され、第一脚と第二脚とが直線上に収納可能であり、第三脚の一端部が第二脚の一端部及び第一フレーム又は第二フレームのいずれか一方と固定され、第三脚の他端部が第二脚と軸支されて第二脚と直線上に重なって収納可能であり、第一脚、第二脚及び第三脚は、第一フレーム又は第二フレームに沿って直線上に収納可能である。
【００８４】
この場合、脚は第一フレーム又は第二フレームに沿って直線上に重ねて収納できるので、脚を取り外すことなくコンパクトに収納可能であり移動が容易になる。詳細には、防球ネットフレーム１における後脚５は、一端部が左フレーム２Ｌの縦柱２ＬＶ及び右フレーム２Ｒの縦柱２ＲＶに取り付けられ、他端部は横脚６と軸支されて横脚６と直線上に収納可能である。前脚７は、一端部が横脚６の一端部を介して左フレーム２Ｌ及び右フレーム２Ｒに固定され、他端部は横脚６と軸支されて横脚６と直線上に重なって収納可能である。後脚５と横脚６と前脚７は、左フレーム２Ｌの縦柱２ＬＶ及び右フレーム２Ｒの縦柱２ＲＶに沿って直線上に収納可能である。
【００８５】
また、図１及び図４に示すように、防球ネットフレーム１は、第一フレームと第二フレームがそれぞれ縦柱と横柱を備え、縦柱は、第一フレーム及び第二フレームを地面に立設させたとき、地面に対して鉛直方向に沿う方向に延びる柱であり、横柱は、縦柱と交差する方向に延びる柱であり、第一フレーム開放端部と第二フレーム開放端部は、縦柱又は横柱に備えられ、第一フレーム開放端部と第二フレーム開放端部は、連結部３によって連結され、連結部３は、第一フレーム及び第二フレームを地面に立設させたとき、地面に対して鉛直方向を回動軸として回動する。ここで、縦柱は、左フレーム２Ｌの縦柱２ＬＶ及び右フレーム２Ｒの縦柱２ＲＶが相当する。或いは、縦柱は、左フレーム８２Ｌの縦柱８２ＬＶ及び右フレーム８２Ｒの縦柱８２ＲＶが相当する。横柱は、左フレーム２Ｌの横柱２ＬＡ及び横柱２ＬＢ、右フレーム２Ｒの横柱２ＲＡ及び横柱２ＲＢが相当する。或いは、横柱は、左フレーム８２Ｌの横柱８２ＬＡ及び横柱８２ＬＢ、右フレーム８２Ｒの横柱８２ＲＡ及び横柱８２ＲＢが相当する。
【００８６】
この場合、防球ネットフレーム１は、第一フレーム及び第二フレームを地面に立設させた状態で回動させることができるので、容易に収納状態を形成できる。
【００８７】
また、図１４（ａ）〜図１４（ｆ）に示すように、第一フレーム開放端部及び第二フレーム開放端部は、横柱の端部に備えられ、第一フレーム開放端部及び第二フレーム開放端部における縦柱が延びる方向の寸法は、縦柱の幅又は径よりも大きい。
【００８８】
この場合、防球ネットフレーム１の開放端部は、縦柱が延びる方向の寸法が縦柱の幅又は径よりも大きいので開放端部の強度が強くなる。第一フレームと第二フレームが開閉されたとき連結部３によって連結された開放端部が破損することを防止できる。
【００８９】
また、図２に示すように、防球ネットフレーム１の第一フレーム開放端部及び第二フレーム開放端部は、複数の横柱の端部をつなぐ縦柱に備えられ、第一フレーム開放端部及び第二フレーム開放端部における縦柱が延びる方向の寸法は、縦柱の幅又は径よりも大きい。
【００９０】
この場合、防球ネットフレーム１の開放端部は、複数の横柱の端部をつなぐ縦柱に形成されるので連結部３における開放端部の強度が強くなる。第一フレームと第二フレームが開閉されたとき連結部３によって連結された開放端部が破損することを防止できる。
【００９１】
また、図２及び図７に示すように、防球ネットフレーム１の第一フレームと第二フレームは、縦柱にそれぞれフレーム接続部を備え、フレーム接続部は、第一フレームと第二フレームとを連結部３によって回動させたとき、連結部３における回動軸線方向において縦柱が対向する位置に備えられる。ここで、フレーム接続部は左フレーム２Ｌと右フレーム２Ｒの穴１４、穴１７及び穴１８が相当する。
【００９２】
この場合、防球ネットフレーム１は、第一フレームと第二フレームとが隣接するように複数個並べるとフレーム接続部が回動軸線方向において対向する。よって、複数個の防球ネットフレーム１を接続することができるので、大きなサイズの防球ネットフレーム１を用意しなくてもよい。具体的には、防球ネットフレーム１を複数個左右方向に並べて地面に立設させたとき、左フレーム２Ｌと右フレーム２Ｒの穴１４、穴１７及び穴１８が同じ高さ位置となる。よって、左フレーム２Ｌと右フレーム２Ｒの穴１４、穴１７及び穴１８にボルト５６を通して蝶ナット１９で締結できる。
【００９３】
また、図１及び図２に示すように、防球ネットフレーム１は接続部材４を備え、第一フレームと第二フレームは、接続部材４によって連結部３が固定され、第一フレーム及び第二フレームに網体８が取り付けられるとき、一つの面状に張設される網体取り付け領域８ａが形成される。
【００９４】
この場合、防球ネットフレーム１は、一つの面状の網体取り付け領域８ａが形成され網体８が取り付けられたとき防球機能を果たすことができる。
【００９５】
また、図１、図３、図４、及び図６に示すように、防球ネット６０は、上記に記載のいずれかの防球ネットフレーム１を備え、防球ネットフレーム１に網体８が取り付けられる。
【００９６】
この場合、上記に記載の防球ネットフレーム１の効果を奏した防球ネット６０を提供することができる。
【００９７】
さらに、以上説明したように、本発明におけるケージフレーム５０、ケージ７０が形成される。本発明におけるケージフレーム５０及びケージ７０は種々の効果を奏する。以下に効果を説明する。
【００９８】
図７、図１０、及び図１１に示すように、ケージフレーム５０は、上記に記載の防球ネットフレーム１である第一防球ネットフレーム１ａ及び第二防球ネットフレーム１ｂを備え、第一防球ネットフレーム１ａは接続部材４を備え、連結部３にて連結された第一フレームと第二フレームとが接続部材４によって固定され、第二防球ネットフレーム１ｂは、連結部３にて所定角度に折り曲げられ、第一防球ネットフレーム１ａは、第一フレーム及び第二フレームのそれぞれに第二防球ネットフレーム１ｂが接続され、第二防球ネットフレーム１ｂはさらにそれぞれ第一防球ネットフレーム１ａが接続されて一体のコの字状に形成され、第一防球ネットフレーム１ａと第二防球ネットフレーム１ｂとは、フレーム接続部にて接続される。
【００９９】
この場合、ケージフレーム５０は防球ネットフレーム１を複数個接続させることにより形成することができるので、防球ネットフレーム１とケージフレーム５０とを別々に準備する必要が無い。
【０１００】
また、図１１、図１２、及び図１３に示すように、ケージ７０は、上記に記載のケージフレーム５０と、第一防球ネットフレーム１ａに設けられる第一支柱５９と、第二防球ネットフレーム１ｂの連結部３に隣接した位置に設けられる第二支柱５２と、ケージフレーム５０と第一支柱５９及び第二支柱５２に装着されるケージ用網体５１とを備え、ケージ用網体５１はワイヤー部材５３を備え、ワイヤー部材５３は、一端に取り付け部５３ａを備え、他端に紐状部材５８を備え、第一支柱５９は、ワイヤー部材５３の取り付け部５３ａが取り付けられる固定部５９ａを備え、第二支柱５２は、紐状部材５８が支持される支持部５５を備え、ワイヤー部材５３の取り付け部５３ａが固定部５９ａに取り付けられ、紐状部材５８が支持部５５に支持され、ケージ用網体５１は、紐状部材５８に張力が与えられることによって張設され、ケージフレーム５０と第一支柱５９及び第二支柱５２に装着される。
【０１０１】
この場合、ケージ７０は、ケージフレーム５０と第一防球ネットフレーム１ａに設けられる第一支柱５９と、第二防球ネットフレーム１ｂの連結部３に隣接して設けられる第二支柱５２にケージ用網体５１が備えられるので、バッティングケージを形成することができる。また、ケージフレーム５０は防球ネットフレーム１を複数組み合わせて形成できるので、必要時に組み立てを行い収納時には取り外してコンパクトにできる。
【０１０２】
以上説明した防球ネットフレーム１、防球ネット６０、ケージフレーム５０、及びケージ７０は、さらに以下の効果がある。
【０１０３】
防球ネットフレーム１及び防球ネット６０は、折り畳むことができるので持ち運びが容易であり、軽トラックに複数個積載できる。防球ネット６０は脚が収納できるので、片付けるのに場所を取らない。防球ネット６０は折り畳んで倉庫に収納できるので痛みにくい。
【０１０４】
また、防球ネット６０は持ち運びが容易なので、グランドを持たないチームが移動しながら練習するのに便利である。チームはキャンプ・合宿等の先で練習する際に防球ネットを確保する必要がない。防球ネット６０は遠征先等でも使用できるので、控え選手の練習に使用できる。部員数が少ないチームは、防球ネット６０を使うことで効率的に練習できる。防球ネット６０はコンパクトに折り畳めるので、マンション等に住む人が所持することができる。以上の効果は、防球ネットフレーム１を組み合わせて形成したケージ７０でも同様である。
【０１０５】
特許請求の範囲と実施形態の要素とを対比する。上記実施形態において、防球ネットフレーム１が「防球ネットフレーム」に相当する。一対のフレーム２が「一対のフレーム」に相当する。連結部３が「連結部」に相当する。外形が形作られる一つの領域８０が「外形が形作られる一つの領域」に相当する。接続部材４が「接続部材」に相当する。一つの面状に張設される領域である網体取り付け領域８ａが「一つの面状に張設される網体取り付け領域」に相当する。網体８が「網体」に相当する。防球ネット６０が「防球ネット」に相当する。
【０１０６】
第一防球ネットフレーム１ａが「第一防球ネットフレーム」に相当し、第二防球ネットフレーム１ｂが「第二防球ネットフレーム」に相当する。ケージフレーム５０が「ケージフレーム」に相当し、ケージ７０が「ケージ」に相当する。第一支柱５９が「第一支柱」に相当し、第二支柱５２が「第二支柱」に相当する。ケージ用網体５１が「ケージ用網体」に相当する。ワイヤー部材５３が「ワイヤー部材」に相当し、ワイヤー部材５３の取り付け部５３ａが「取り付け部」に相当する。紐状部材５８が「紐状部材」に相当する。リング状の支持部５５が「紐状部材が支持される支持部」に相当し、ワイヤー部材５３の取り付け部５３ａが取り付けられる固定部５９ａが「取り付け部が取り付けられる固定部」に相当する。
【０１０７】
なお、本発明の防球ネットフレーム１、防球ネット６０、ケージ７０は、上記実施形態に限定されるものでは無く、本発明の要旨を逸脱しない範囲において種々変更を加えることは勿論可能である。
【０１０８】
一対のフレーム２は、左フレーム２Ｌと右フレーム２Ｒとを組み合わせた状態で矩形形状であるが、この形状に限られない。図１４に一例を示すが、種々の形状が考えられる。例えば、図１４（ｂ）に示すように、左フレーム８２Ｌと右フレーム８２Ｒが組合わされて台形形状になっても良い。或いは、図１４（ｃ）から図１４（ｈ）に示すように、五角形状（ｃ）、三角形状（ｄ）、左右でサイズが異なる矩形形状（ｅ）、楕円形状（ｆ）、左フレーム８２Ｌが三角形状で右フレーム８２Ｒが矩形形状（ｇ）、角が丸い矩形形状（ｈ）であってもよい。なお、図１４に示す防球ネットフレーム１の変形例においては、図１及び図５に示す連結部３と同様に、連結部８３にて、防球ネットフレーム１が折り曲げられる。
【０１０９】
防球ネットフレーム１は、脚である後脚５、横脚６、前脚７が取り付けられた例を示したが、これに限られない。後脚５と横脚６とが取り付けられるか、横脚６と前脚７とが取り付けられても良い。さらには、脚が取り付けられないものでもよい。本発明の防球ネットフレーム１は、連結部３にて折り曲げられた状態で地面に立設可能だからである。
【０１１０】
防球ネットフレーム１が地面に設置された状態において、少なくとも連結部３における左フレーム２Ｌ及び右フレーム２Ｒの鉛直方向の幅寸法は、他の部分における一対のフレーム２の幅寸法よりも大きい例を示したが、これに限られない。一対のフレーム２を形成する素材が高剛性であれば、連結部３における鉛直方向の幅寸法が小さくても必要な強度が確保できる。通常は素材コストが高くなるが、一対のフレーム２は高剛性の素材が使用されれば軽量化することが可能となる。左フレーム２Ｌ、右フレーム２Ｒからなる一対のフレーム２における各部位（例えば、横柱２ＬＡ、横柱２ＬＢ、横柱２ＲＡ、横柱２ＲＢ、縦柱２ＬＶ、及び縦柱２ＲＶ等）が、角柱状である場合を図示しているが、これに限定されず、例えば、円柱状及び板状等に形成されてもよい。
【０１１１】
連結部３における左フレーム２Ｌ及び右フレーム２Ｒは、２本の棒状の部材である横柱２ＬＡ、横柱２ＬＢ及び横柱２ＲＡ、横柱２ＲＢによって形成される例を示したが、これに限られない。棒状の部材を細くして３本以上の部材で形成しても良い。
【０１１２】
連結部３における左フレーム２Ｌ及び右フレーム２Ｒは、２本の棒状の部材である横柱２ＬＡ、横柱２ＬＢ及び横柱２ＲＡ、横柱２ＲＢによって形成される例を示したが、これに限られない。棒状の部材を太くして１本の部材で形成しても良い。例えば、図１４（ａ）に示すように、左フレーム８２Ｌの横柱８２ＬＡ及び横柱８２ＬＢと、右フレーム８２Ｒの横柱８２ＲＡ及び横柱８２ＲＢはそれぞれ１本で形成されている。また左フレーム８２Ｌにおける横柱８２ＬＡ及び横柱８２ＬＢの開放端部８２ＬＣと、右フレーム８２Ｒにおける横柱８２ＲＡ及び横柱８２ＲＢの開放端部８２ＲＣの太さは、縦柱８２ＬＶ又は縦柱８２ＲＶより太くてもよい。
【０１１３】
防球ネットフレーム１の脚は左フレーム２Ｌ及び右フレーム２Ｒに取り付けられた状態で収納する例を示したが、これに限られない。防球ネットフレーム１は、脚を取り外して収納されてもよい。また、防球ネット６０を複数個接続して使用するとき、一対のフレーム２から脚を取り外してもよい。
【０１１４】
同一サイズであり同一形状の防球ネット６０が複数個接続されて使用される例を示したが、これに限られない。防球ネット６０は、種々のサイズや形状で形成されることが可能であり、異なるサイズや形状の防球ネット６０が接続されても良い。
【符号の説明】
【０１１５】
１      防球ネットフレーム
１ａ    第一防球ネットフレーム
１ｂ    第二防球ネットフレーム
２      一対のフレーム
２Ｌ    左フレーム
２Ｒ    右フレーム
２ＬＡ  左フレーム２Ｌの横柱
２ＬＢ  左フレーム２Ｌの横柱
２ＲＡ  右フレーム２Ｒの横柱
２ＲＢ  右フレーム２Ｒの横柱
２ＬＣ  左フレーム２Ｌの開放端部
２ＲＣ  右フレーム２Ｒの開放端部
２ＬＶ  左フレーム２Ｌの縦柱
２ＲＶ  右フレーム２Ｒの縦柱
３      連結部
４      接続部材
５      後脚
６      横脚
７      前脚
８      網体
８ａ    網体取り付け領域
５０    ケージフレーム
５１ａ  第一ケージフレーム
５１    バッティングケージ用網体
５２    第二支柱
５３    ワイヤー部材
５３ａ  取り付け部
５５    リング状の支持部
５８    紐状部材
５９    第一支柱
５９ａ  取り付け部
６０    防球ネット
７０    ケージ
８０    外形が形作られる一つの領域
８２ＬＣ  左フレーム２Ｌの開放端部
８２ＬＣ  右フレーム２Ｒの開放端部
【図１】
2018198647.tif 000003
【図２】
2018198647.tif 000004
【図３】
2018198647.tif 000005
【図４】
2018198647.tif 000006
【図５】
2018198647.tif 000007
【図６】
2018198647.tif 000008
【図７】
2018198647.tif 000009
【図８】
2018198647.tif 000010
【図９】
2018198647.tif 000011
【図１０】
2018198647.tif 000012
【図１１】
2018198647.tif 000013
【図１２】
2018198647.tif 000014
【図１３】
2018198647.tif 000015
【図１４】
2018198647.tif 000016